【事件の表示】
　平成　６年特許願第１２２００４号「鈍端の超音波套管針」拒絶査定不服審判事件〔平成　７年　２月２８日出願公開、特開平　７−　５１２８１号〕について、次のとおり審決する。
【結　論】
　本件審判の請求は、成り立たない。
【理　由】
１　手続の経緯・本願発明
　本願は、平成６年５月１２日（パリ条約による優先権主張１９９３年５月１２日米国）の出願であって、請求項１、２に係る発明は、願書に最初に添付された明細書の特許請求の範囲の請求項１、２に記載されたとおりのものと認められるところ、その請求項１に係る発明（以下、「本願発明」という。）は次のとおりである。
「カニューレハンドルとカニューレ管とを有するカニューレ；
　超音波変換器と鈍端の先端部と軸とを有する穿子；及び
　前記超音波変換器を収容しているハウジング
を備え、
　前記軸は前記変換器に組付けられた手元側端部と前記鈍端の先端部に組付けられた末端側端部とを有し；
　選定された周波数で変換器を振動させかつ軸に沿って先端部に振動を伝搬させるように変換器に電気エネルギーを供給する
ことを特徴とする套管針組立体。」
　
２　引用例の記載事項
　原査定の拒絶の理由に引用された特開昭６１−２６５１３６号公報（以下、「引用例」という。）には、次の事項が図面とともに記載されている。
（１）「細長の高周波振動の伝達部材の先端側に穿刺用の刃先を設け、且つこの伝達部材の後端側頭部に形成したカバー内の密封室内に高周波振動発生手段を収納し、この高周波振動発生手段に外部の高周波発生装置からコネクタによる電気的接続手段を介して高周波電力を供給可能とした中針を形成したことを特徴とする穿刺針。」（【特許請求の範囲】第１項）
（２）「これらの図において、第１実施例の穿刺針１は先端部に穿刺、刺入用刃先２Ａが設けられた細長の中針２と、この中針２を挿通する外套管３とから構成される。」（２頁左下欄１２行〜１５行）
（３）「ところで、上記中針２はその頂部側に高周波振動発生手段を形成する圧電ランジュバン型振動子を内蔵して高周波電力の供給により中針２の長手方向に高周波振動し、この高周波振動をホーン３２及び中針２を形成する中空管状高周波振動の伝達管３３を通り、先端部の刃先２Ａに伝えられ、この刃先２Ａを軸方向に高周波振動させることができるようにしてある。しかしてこの高周波振動によって、中針２の先端部の尖鋭な刃先２Ａが押し当てられた部分の腹壁等への刺入抵抗を減らし、容易に刺入できるようにしてある。上記圧電ランジュバン型振動子は、ジルコンチタン酸鉛等の圧電体３５，３６を間に電極板３７を介装し、中央に形成した孔に絶縁チューブ３８を介したボルト３９によって、ホーン３２と電極板４１を取付けた金属ブロック４２との間で締め付けるようにして固定されている。尚、この締め付けは、例えばホーン３２に螺着又はろう付け等で固定されたボルト３９における金属ブロック４２から上部に突出する端部を皿座金４３を介装し、ナット４４で締め付は固定される。」（３頁左下欄１０行〜右下欄１０行）
（４）「このホーン３２の細径側の端部は中針２の頭部に螺着され、このホーン３２の端面にシール４５を介装して前カバー４６で覆われ、ホーン側は密封されている。またこの前カバー４６の周囲から止めねじ４７によって、ホーン３２及び該ホーン３２に緊定された圧電体３５，３６，金属ブロック４２等は固定されている。上記前カバー４６は上方に開口し、シール４８を介して頭部カバー４９と螺着し、これらカバー４６，４９内側を密封構造の室が形成されるようにしてある。」（３頁右下欄１５行〜４頁左上欄５行）
（５）「このような関節腔５８に上記第１実施例の穿刺針１を外套管３に中針２を装着した状態で、且つコネクタ７を所定位置に装着する。しかして例えば矢印ＤあるいはＥに示す適当な刺入位置にその先端側を設定し、高周波発生装置９の電源をオンすると、この高周波発生装置９の高周波電力によって、中針２の頭部のカバー４６，４９内に密封された高周波振動発生装置６は高周波振動し、中針２はその軸方向に高速度で前後に往復振動する。従って、中針２の刃先２Ａが軽く押し当てられている腹壁等の部位は、先端部の刃先２Ａが突き刺さり、次第に刺入されていくことになる。この刺入された状態を第６図に示し、中針２の刃先２Ａを当てた部分はその中針２の軸方向、第６図では例えばＤ方向とかＥ方向に刺入されることになる。」（４頁右上欄１４行〜左下欄８行）
（６）第１図、第２図には、コック４を収納した収納用筒体部１９と管路３Ａから成る外套管３と、圧電ランジュバン型振動子とホーン３２と伝達管３３と刃先２Ａとを有する中針２と、圧電ランジュバン型振動子を収容している前カバー４６、頭部カバー４９が図示されている。
　
　上記（１）ないし（６）の記載事項及び図示内容からみて、引用例には次の発明（以下、「引用発明」という。）が記載されていると認められる。
「コック４を収納した収納用筒体部１９と管路３Ａから成る外套管３と、高周波振動発生手段を形成する圧電ランジュバン型振動子とホーン３２と伝達管３３と刃先２Ａとを有する中針２と、前記圧電ランジュバン型振動子を収容している前カバー４６、頭部カバー４９とを備え、前記伝達管３３の一端は、ホーン３２を介して高周波振動発生手段を形成する圧電ランジュバン型振動子に連結され、他端は、刃先２Ａが組付けられ、高周波振動発生手段を形成する圧電ランジュバン型振動子には、高周波発生装置９の高周波電力が供給され、この高周波電力の供給により中針２の長手方向に高周波振動し、この高周波振動は、ホーン３２及び中針２を形成するの伝達管３３を通り、先端部の刃先２Ａに伝えられる穿刺針。」
　
３　対比
　本願発明と引用発明を比較する。
　引用発明の「コック４を収納した収納用筒体部１９と管路３Ａから成る外套管３」は、その機能、構造からみて、本願発明の「カニューレハンドルとカニューレ管とを有するカニューレ」に相当し、同じく「高周波振動発生手段を形成する圧電ランジュバン型振動子」は「超音波変換器」に、「刃先２Ａ」は「先端部」に、「伝達管３３」は「軸」に、「中針２」は「穿子」に、「前カバー４６、頭部カバー４９」は「ハウジング」に、「穿刺針」は「套管針組立体」に各々相当する。
　また、引用発明の「前記伝達管３３の一端は、ホーン３２を介して高周波振動発生手段を形成する圧電ランジュバン型振動子に連結され、他端は、刃先２Ａが組付けられ」と本願発明の「前記軸は前記変換器に組付けられた手元側端部と前記先端部に組付けられた末端側端部とを有し」は、前記軸（伝達管３３）は、振動が伝播されるように前記変換器（高周波振動発生手段を形成する圧電ランジュバン型振動子）に接続されている手元側端部と、前記先端部（刃先２Ａ）に組付けられた末端側端部とを有している点で共通する。
　更に、引用発明の「高周波振動発生手段を形成する圧電ランジュバン型振動子には、高周波発生装置９の高周波電力が供給される」において、高周波電力は、電気エネルギーであってその周波数は当然に選定されたものであるから、引用発明は、本願発明でいう「選定された周波数で変換器を振動させかつ軸に沿って先端部に振動を伝搬させるように変換器に電気エネルギーを供給」しているといえる。
　そうすると、両者は、
「カニューレハンドルとカニューレ管とを有するカニューレ；
　超音波変換器と先端部と軸とを有する穿子；及び
　前記超音波変換器を収容しているハウジングを備え、
　前記軸は、振動が伝播されるように前記変換器に接続されている手元側端部と、前記先端部に組付けられた末端側端部とを有し；
　選定された周波数で変換器を振動させかつ軸に沿って先端部に振動を伝搬させるように変換器に電気エネルギーを供給する
ことを特徴とする套管針組立体。」で一致し、次の点で相違する。
＜相違点１＞
　穿子の先端部の構造に関し、本願発明は鈍端であるのに対して、引用発明はそのような構造ではない点。
＜相違点２＞
　軸の手元側端部と超音波変換器の接続に関し、本願発明は軸の手元側端部は超音波変換器に直接組付けているのに対して、引用発明は、軸の手元側端部は超音波変換器にホーン３２を介して連結している点
　
４　当審の判断
　上記相違点１、２について以下検討する。
（１）相違点１について
　身体の組織を穿孔する穿子の先端部を鈍端とすることは周知の技術である（例えば、カナダ国特許出願公開第１０９８００３号明細書、実願昭５７−１２５２３５号（実開昭５９−３０２０２号）のマイクロフィルム参照）。
　したがって、穿子の先端部を鈍端とし、本願発明の上記相違点１に係る構成とすることは当業者が容易に想到し得たことである。
（２）相違点２について
　軸の手元側端部と超音波変換器を直接接続するか、ホーンを介して接続するかは当業者が必要に応じて適宜選択する設計的事項である。
　したがって、本願発明の上記相違点２に係る構成とすることは当業者の適宜なし得た設計的事項である。
　
　そして、上記相違点１、２によって奏する本願発明の作用、効果は、引用発明及び上記周知の技術から予測される範囲のものであって、格別なものではない。
　
５　むすび
　以上のとおり、本願発明は、引用発明及び上記周知の技術に基いて当業者が容易に発明をすることができたものであるから、特許法第２９条第２項の規定により特許を受けることができない。
　よって、結論のとおり審決する。